(57)【要約】  本開示の実施例は、Ｓｉｄｅｌｉｎｋの動作方法及び端末を提供する。該方法において、フィードバック配置情報及び測定配置情報のうちの少なくとも一方を含むＳｉｄｅｌｉｎｋ配置情報を取得することと、前記Ｓｉｄｅｌｉｎｋ配置情報に基づいて、Ｓｉｄｅｌｉｎｋで測定動作及びフィードバック動作の少なくとも一方を行うこととを含む。
2021519029.tif 000002
【特許請求の範囲】
【請求項１】
端末に応用されるサイドリンクＳｉｄｅｌｉｎｋの動作方法において、
フィードバック配置情報及び測定配置情報のうちの少なくとも一方を含むＳｉｄｅｌｉｎｋ配置情報を取得することと、
前記Ｓｉｄｅｌｉｎｋ配置情報に基づいて、Ｓｉｄｅｌｉｎｋで測定動作及びフィードバック動作の少なくとも一方を行うこととを含む、Ｓｉｄｅｌｉｎｋの動作方法。
【請求項２】
前記フィードバック配置情報は、フィードバックの内容、フィードバックのタイプ、フィードバックの周期及びフィードバックビットのマッピング方式の少なくとも一方を含む、請求項１に記載の方法。
【請求項３】
前記フィードバックの内容は、物理サイドリンク共有チャネルＰＳＳＣＨの受信応答とチャネル状態情報ＣＳＩフィードバックのうちの少なくとも一方を含み、
前記フィードバックのタイプは、周期的フィードバック、非周期的フィードバック又は半永続的フィードバックを含み、
前記フィードバックビットのマッピング方式は、フィードバックビットに割り当てられる最大リソースユニットＲＥの数、フィードバックビットマッピングの符号化率オフセットＢｅｔａ−ｏｆｆｓｅｔ、同時フィードバックの最大ビット数、部分的フィードバックビット破棄配置、及びフィードバックビット結合配置の少なくとも一方を含む、請求項２に記載の方法。
【請求項４】
前記測定配置情報は、測定基準信号配置、測定基準信号送信配置及び測定基準信号測定配置の少なくとも一方を含み、
ここで、前記測定基準信号配置は、測定基準信号のタイプ、位置、帯域幅、周期及びシーケンスのうちの少なくとも一方を指示し、
前記測定基準信号送信配置は、測定基準信号送信の有効化又は無効化を指示し、
前記測定基準信号測定配置は、測定基準信号の測定の開始又は停止、前記測定基準信号のフィードバック情報送信の開始又は停止を指示する、請求項１に記載の方法。
【請求項５】
前記Ｓｉｄｅｌｉｎｋ配置情報に基づいて、Ｓｉｄｅｌｉｎｋで測定及びフィードバックの少なくとも一方を行う前に、
測定メカニズム及びフィードバックメカニズムの少なくとも一方を有効化又は無効化することを更に含み、
前記Ｓｉｄｅｌｉｎｋ配置情報に基づいて、Ｓｉｄｅｌｉｎｋで測定動作及びフィードバック動作の少なくとも一方を行うことは、
前記測定メカニズムが有効化されている場合、前記測定配置情報に基づいて測定動作を行うことと、
前記フィードバックメカニズムが有効化されている場合、前記フィードバック配置情報に基づいてフィードバック動作を行うこととを含む、請求項１に記載の方法。
【請求項６】
前記測定メカニズム及びフィードバックメカニズムの少なくとも一方を有効化又は無効化することは、
事前の配置、ネットワーク側から送信されるシグナリング又は相手側から送信されるシグナリングに基づいて、測定メカニズム及びフィードバックメカニズムの少なくとも一方を有効化又は無効化することを含む、請求項５に記載の方法。
【請求項７】
前記Ｓｉｄｅｌｉｎｋ配置情報を取得することは、
事前の配置、ネットワーク側から送信されるシグナリング又は相手側から送信されるシグナリングから、Ｓｉｄｅｌｉｎｋ配置情報を取得することを含む、請求項１に記載の方法。
【請求項８】
前記ネットワーク側から送信されるシグナリングは、ブロードキャストシグナリング、上位層シグナリング、メディアアクセス制御の制御ユニットＭＡＣ  ＣＥ又は下り制御情報ＤＣＩを含み、
前記相手側から送信されるシグナリングは、Ｓｉｄｅｌｉｎｋブロードキャストチャネルシグナリング、Ｓｉｄｅｌｉｎｋブロードキャスト制御チャネルシグナリング、Ｓｉｄｅｌｉｎｋ物理層制御シグナリング又はＳｉｄｅｌｉｎｋ上位層シグナリングを含む、請求項６又は７に記載の方法。
【請求項９】
前記事前の配置、ネットワーク側から送信されるシグナリング又は相手側から送信されるシグナリングに基づいて、測定メカニズム及びフィードバックメカニズムの少なくとも一方を有効化又は無効化する前に、
前記端末の能力情報を無線リソース制御ＲＲＣシグナリングによってネットワーク側に報告することと、前記Ｓｉｄｅｌｉｎｋを介して前記端末の能力情報をブロードキャストすることとの少なくとも一方を更に含み、
ここで、前記能力情報は、測定のサポートの有無、フィードバックのサポートの有無、測定のサポートのタイプ、測定のサポートの内容、フィードバックのサポートのタイプ及びフィードバックのサポートの内容の少なくとも一方を含む、請求項６に記載の方法。
【請求項１０】
前記Ｓｉｄｅｌｉｎｋでフィードバック動作を行うことは、
Ｓｉｄｅｌｉｎｋでサイドリンク制御情報ＳＣＩ、ＳＣＩでスケジューリングされたＰＳＳＣＨ及びＭＡＣ  ＣＥのうちの少なくとも一方によって、フィードバックビット及びフィードバック指示情報を伝送することを含む、請求項１〜７のいずれか一項に記載の方法。
【請求項１１】
前記フィードバック指示情報は、フィードバックのタイプ又は内容、フィードバックの受信対象及び応答フィードバックのＰＳＳＣＨ伝送プロセス番号の少なくとも一方を含み、
ここで、前記フィードバックのタイプ又は内容は、ＰＳＳＣＨ受信の応答及びＣＳＩフィードバックのうちの少なくとも一方を含み、
前記フィードバックの受信対象は、フィードバックを行う端末である受信側のＩＤ、前記受信側のグループＩＤ、ネットワークから前記受信側に割り当てた固定ＩＤ、ネットワークから前記受信側に割り当てた仮ＩＤ又は前記受信側の切断ＩＤを含む、請求項１０に記載の方法。
【請求項１２】
前記Ｓｉｄｅｌｉｎｋで測定動作を行うことは、
測定基準信号を前記Ｓｉｄｅｌｉｎｋで相手側に送信することと、前記Ｓｉｄｅｌｉｎｋで相手端から送信された測定基準信号を測定することとの少なくとも一方を含む、請求項１〜７のいずれか一項に記載の方法。
【請求項１３】
前記Ｓｉｄｅｌｉｎｋ配置情報を取得した後に、
相手側のフィードバックメカニズムの使用事例に応じて、対応する伝送方式でＰＳＳＣＨデータを送信することを更に含み、
ここで、前記使用事例がフィードバックメカニズムの有効化である場合、前記伝送方式において、前記相手側からのフィードバック受信に失敗すると、受信に失敗したＰＳＳＣＨデータを再送し、
前記使用事例がフィードバックメカニズムの無効化である場合、前記伝送方式において、前記ＰＳＳＣＨデータのブラインド再送を行い、ここで、前記ブラインド再送とは、同一のＰＳＳＣＨデータの伝送ブロックである複数の同じ伝送ブロックを伝送し、又は、前記ブラインド再送とは、同一のＰＳＳＣＨデータの伝送ブロックである複数の異なる冗長バージョンの伝送ブロックを伝送する、請求項１〜７のいずれか一項に記載の方法。
【請求項１４】
フィードバック配置情報及び測定配置情報のうちの少なくとも一方を含むＳｉｄｅｌｉｎｋ配置情報を取得する取得モジュールと、
前記Ｓｉｄｅｌｉｎｋ配置情報に基づいて、Ｓｉｄｅｌｉｎｋで測定動作及びフィードバック動作の少なくとも一方を行う実行モジュールとを含む、端末。
【請求項１５】
前記フィードバック配置情報は、フィードバックの内容、フィードバックのタイプ、フィードバックの周期及びフィードバックビットのマッピング方式の少なくとも一方を含む、請求項１４に記載の端末。
【請求項１６】
前記フィードバックの内容は、ＰＳＳＣＨの受信応答とチャネル状態情報ＣＳＩフィードバックのうちの少なくとも一方を含み、
前記フィードバックのタイプは、周期的フィードバック、非周期的フィードバック又は半永続的フィードバックを含み、
前記フィードバックビットのマッピング方式は、フィードバックビットに割り当てられる最大リソースユニットＲＥの数、フィードバックビットマッピングの符号化率オフセットＢｅｔａ−ｏｆｆｓｅｔ、同時フィードバックの最大ビット数、部分的フィードバックビット破棄配置、及びフィードバックビット結合配置の少なくとも一方を含む、請求項１５に記載の端末。
【請求項１７】
前記測定配置情報は、測定基準信号配置、測定基準信号送信配置及び測定基準信号測定配置の少なくとも一方を含み、
ここで、前記測定基準信号配置は、測定基準信号のタイプ、位置、帯域幅、周期及びシーケンスのうちの少なくとも一方を指示し、
前記測定基準信号送信配置は、測定基準信号送信の有効化又は無効化を指示し、
前記測定基準信号測定配置は、測定基準信号の測定の開始又は停止、前記測定基準信号のフィードバック情報送信の開始又は停止を指示する、請求項１４に記載の端末。
【請求項１８】
測定メカニズム及びフィードバックメカニズムの少なくとも一方を有効化又は無効化する有効化モジュールを更に含み、
前記実行モジュールは、
前記測定メカニズムが有効化されている場合、前記測定配置情報に基づいて測定動作を行う測定ユニットと、
前記フィードバックメカニズムが有効化されている場合、前記フィードバック配置情報に基づいてフィードバック動作を行うフィードバックユニットとを含む、請求項１４に記載の端末。
【請求項１９】
前記有効化モジュールは、
事前の配置、ネットワーク側から送信されるシグナリング又は相手側から送信されるシグナリングに基づいて、測定メカニズム及びフィードバックメカニズムの少なくとも一方を有効化又は無効化する、請求項１８に記載の端末。
【請求項２０】
前記取得モジュールは、
事前の配置、ネットワーク側から送信されるシグナリング又は相手側から送信されるシグナリングから、Ｓｉｄｅｌｉｎｋ配置情報を取得する、請求項１４に記載の端末。
【請求項２１】
前記ネットワーク側から送信されるシグナリングは、ブロードキャストシグナリング、上位層シグナリング、メディアアクセス制御の制御ユニットＭＡＣ  ＣＥ又は下り制御情報ＤＣＩを含み、
前記相手側から送信されるシグナリングは、Ｓｉｄｅｌｉｎｋブロードキャストチャネルシグナリング、Ｓｉｄｅｌｉｎｋブロードキャスト制御チャネルシグナリング、Ｓｉｄｅｌｉｎｋ物理層制御シグナリング又はＳｉｄｅｌｉｎｋ上位層シグナリングを含む、請求項１９又は２０に記載の端末。
【請求項２２】
前記端末の能力情報を無線リソース制御ＲＲＣシグナリングによってネットワーク側に報告する第１報告モジュールと、前記Ｓｉｄｅｌｉｎｋを介して前記端末の能力情報をブロードキャストする第２報告モジュールとの少なくとも一方を更に含み、
ここで、前記能力情報は、測定のサポートの有無、フィードバックのサポートの有無、測定のサポートのタイプ、測定のサポートの内容、フィードバックのサポートのタイプ及びフィードバックのサポートの内容の少なくとも一方を含む、請求項１９に記載の端末。
【請求項２３】
前記Ｓｉｄｅｌｉｎｋでフィードバック動作を行うことは、
ＳｉｄｅｌｉｎｋでＳＣＩ、ＳＣＩでスケジューリングされたＰＳＳＣＨ及びＭＡＣ  ＣＥのうちの少なくとも一方によって、フィードバックビット及びフィードバック指示情報を伝送することを含む、請求項１４〜２０のいずれか一項に記載の端末。
【請求項２４】
前記フィードバック指示情報は、フィードバックのタイプ又は内容、フィードバックの受信対象及び応答フィードバックのＰＳＳＣＨ伝送プロセス番号の少なくとも一方を含み、
ここで、前記フィードバックのタイプ又は内容は、ＰＳＳＣＨ受信の応答及びＣＳＩフィードバックのうちの少なくとも一方を含み、
前記フィードバックの受信対象は、フィードバックを行う端末である受信側のＩＤ、前記受信側のグループＩＤ、ネットワークから前記受信側に割り当てた固定ＩＤ、ネットワークから前記受信側に割り当てた仮ＩＤ又は前記受信側の切断ＩＤを含む、請求項２３に記載の端末。
【請求項２５】
前記Ｓｉｄｅｌｉｎｋで測定動作を行うことは、
測定基準信号を前記Ｓｉｄｅｌｉｎｋで相手側に送信することと、前記Ｓｉｄｅｌｉｎｋで相手端から送信された測定基準信号を測定することとの少なくとも一方を含む、請求項１４〜２０のいずれか一項に記載の端末。
【請求項２６】
相手側のフィードバックメカニズムの使用事例に応じて、対応する伝送方式でＰＳＳＣＨデータを送信する送信モジュールを更に含み、
ここで、前記使用事例がフィードバックメカニズムの有効化である場合、前記伝送方式において、前記相手側からのフィードバック受信に失敗すると、受信に失敗したＰＳＳＣＨデータを再送し、
前記使用事例がフィードバックメカニズムの無効化である場合、前記伝送方式において、前記ＰＳＳＣＨデータのブラインド再送を行い、ここで、前記ブラインド再送とは、同一のＰＳＳＣＨデータの伝送ブロックである複数の同じ伝送ブロックを伝送し、又は、前記ブラインド再送とは、同一のＰＳＳＣＨデータの伝送ブロックである複数の異なる冗長バージョンの伝送ブロックを伝送する、請求項１４〜２０のいずれか一項に記載の端末。
【請求項２７】
メモリと、プロセッサと、前記メモリに格納されて前記プロセッサで動作可能なコンピュータプログラムを含む端末であって、
前記コンピュータプログラムが前記プロセッサによって実行されると、請求項１〜１３のいずれか一項に記載のＳｉｄｅｌｉｎｋの動作方法のステップが実現される、端末。
【請求項２８】
コンピュータプログラムが格納されているコンピュータ読み取り可能な記憶媒体であって、
前記コンピュータプログラムがプロセッサによって実行されると、請求項１〜１３のいずれか一項に記載のＳｉｄｅｌｉｎｋの動作方法のステップが実現される、コンピュータ読み取り可能な記憶媒体。
【発明の詳細な説明】
【技術分野】
【０００１】
本願は、２０１８年４月１３日に中国特許庁に提出された中国特許出願２０１８１０３３２８４９．７の優先権を主張し、その全ての内容が援用によりここに取り込まれる。
本開示は、通信技術分野に係り、特にＳｉｄｅｌｉｎｋの動作方法及び端末に係る。
【背景技術】
【０００２】
関連技術のＬＴＥ（Ｌｏｎｇ  Ｔｅｒｍ  Ｅｖｏｌｕｔｉｏｎ）システムでは、ネットワーク機器を介さない端末間の直接の伝送のためのサイドリンク（Ｓｉｄｅｌｉｎｋ）がサポートされる。しかしながら、関連技術のＬＴＥシステムでは、Ｓｉｄｅｌｉｎｋ伝送は、ブロードキャストに基づいて行われ、受信側から送信側に何らの情報もフィードバックしない。例えば、データを１部しか送信しないと、受信側で様々な理由で受信できない可能性が高く、システムの伝送信頼性が低い。データ送信の信頼性を確保するために送信側で同数分のブロードキャストを行うと、システムのリソース利用効率や周波数効率が低下する。現在のＳｉｄｅｌｉｎｋの伝送性能は、比較的悪いであることが分かる。
【発明の概要】
【発明が解決しようとする課題】
【０００３】
本開示の実施例は、Ｓｉｄｅｌｉｎｋの伝送性能が比較的悪いという問題を解決するために、Ｓｉｄｅｌｉｎｋの動作方法及び端末を提供する。
【課題を解決するための手段】
【０００４】
第１態様として、本開示の実施例は、端末に応用されるサイドリンクＳｉｄｅｌｉｎｋの動作方法を提供し、フィードバック配置情報及び測定配置情報のうちの少なくとも一方を含むＳｉｄｅｌｉｎｋ配置情報を取得することと、前記Ｓｉｄｅｌｉｎｋ配置情報に基づいて、Ｓｉｄｅｌｉｎｋで測定動作及びフィードバック動作の少なくとも一方を行うこととを含む
【０００５】
第２態様として、本開示の実施例は、端末を更に提供し、フィードバック配置情報及び測定配置情報のうちの少なくとも一方を含むＳｉｄｅｌｉｎｋ配置情報を取得する取得モジュールと、前記Ｓｉｄｅｌｉｎｋ配置情報に基づいて、Ｓｉｄｅｌｉｎｋで測定動作及びフィードバック動作の少なくとも一方を行う実行モジュールとを含む。
【０００６】
第３態様として、本開示の実施例は、端末を更に提供する。前記端末は、メモリと、プロセッサと、前記メモリに格納されて前記プロセッサで動作可能なコンピュータプログラムを含み、前記コンピュータプログラムが前記プロセッサによって実行されると、本開示の実施例に係るＳｉｄｅｌｉｎｋの動作方法のステップが実現される。
【０００７】
第４態様として、本開示の実施例は、コンピュータプログラムが格納されているコンピュータ読み取り可能な記憶媒体を更に提供し、前記コンピュータプログラムがプロセッサによって実行されると、本開示の実施例に係るＳｉｄｅｌｉｎｋの動作方法のステップが実現される。
【発明の効果】
【０００８】
本開示の実施例において、フィードバック配置情報及び測定配置情報のうちの少なくとも一方を含むＳｉｄｅｌｉｎｋ配置情報を取得し、前記Ｓｉｄｅｌｉｎｋ配置情報に基づいて、Ｓｉｄｅｌｉｎｋで測定動作及びフィードバック動作の少なくとも一方を行う。それによって、Ｓｉｄｅｌｉｎｋの伝送性能を向上させることができる。
【図面の簡単な説明】
【０００９】
【図１】本開示の実施例の応用可能なネットワークシステムの構造図である。
【図２】本開示の実施例に係るＳｉｄｅｌｉｎｋの動作方法のフローチャートである。
【図３】本開示の実施例に係る端末の構造図である。
【図４】本開示の実施例に係る別の端末の構造図である。
【図５】本開示の実施例に係る別の端末の構造図である。
【図６】本開示の実施例に係る別の端末の構造図である。
【図７】本開示の実施例に係る別の端末の構造図である。
【発明を実施するための形態】
【００１０】
図１を参照する。図１は、本開示の実施例の応用可能なネットワークシステムの構造図であり、図１に示すように、複数の端末を含む。ここで、端末は、端末機器又はユーザ端末ＵＥ（Ｕｓｅｒ  Ｅｑｕｉｐｍｅｎｔ）とも呼ばれる。端末は、携帯電話、タブレットパソコン（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、ＰＤＡ（Ｐｅｒｓｏｎａｌ  Ｄｉｇｉｔａｌ  Ａｓｓｉｓｔａｎｔ）、ＭＩＤ（Ｍｏｂｉｌｅ  Ｉｎｔｅｒｎｅｔ  Ｄｅｖｉｃｅ）、ウェアラブルデバイス（Ｗｅａｒａｂｌｅ  Ｄｅｖｉｃｅ）又は車載機器などの端末側機器である。なお、本開示の実施例において、端末の具体的なタイプは、限定されない。本開示の実施例において、複数の端末間は、例えば、データ伝送やシグナリング伝送などのＳｉｄｅｌｉｎｋを介した通信が可能である。また、複数の端末間のＳｉｄｅｌｉｎｋを介した通信は、１対１で通信してもよく、１対多で通信してもよく、又は多対１で通信してもよいが、これについて、本開示の実施例では限定されない。もちろん、上記ネットワークシステムは、シグナリング伝送やデータ伝送などの各端末との通信が可能なネットワーク側機器を更に含んでもよい。もちろん、一部のシナリオでは、ネットワークカバレッジ外にある一部の端末がネットワーク側機器と通信することができないこともある。ネットワーク側機器は、４Ｇ基地局、５Ｇ基地局、その後のバージョンの基地局、又は、他の通信システムの基地局であってもよく、又は、ノードＢ、発展型ノードＢ、又は、該当技術分野における他の用語と称されてもよい。同様の技術的効果を奏する限り、前記基地局は、特定の技術的用語に限定されない。なお、本開示の実施例において、単に５Ｇ基地局を例として説明するが、ネットワーク側機器の具体的なタイプは、限定されない。
【００１１】
図２を参照する。図２は、本開示の実施例に係るＳｉｄｅｌｉｎｋの動作方法のフローチャートである。該方法は、端末に応用され、図２に示すように、以下のステップを含む。
【００１２】
ステップ２０１において、フィードバック配置情報及び測定配置情報のうちの少なくとも一方を含むサイドリンクＳｉｄｅｌｉｎｋ配置情報を取得する。
【００１３】
ここで、上記Ｓｉｄｅｌｉｎｋ配置情報を取得することは、事前の配置、ネットワーク側から送信されるシグナリング、又は相手側から送信されるシグナリングなどの方式でＳｉｄｅｌｉｎｋ配置情報を取得する。例えば、プロトコルで予め定義されたり、端末で予め配置されたりして、上記ネットワーク側から送信されるシグナリングは、ブロードキャストシグナリング、上位層シグナリング、ＭＡＣ  ＣＥ（Ｍｅｄｉａ  Ａｃｃｅｓｓ  Ｃｏｎｔｒｏｌ  Ｃｏｎｔｒｏｌ  Ｅｌｅｍｅｎｔ）又はＤＣＩ（Ｄｏｗｎｌｉｎｋ  Ｃｏｎｔｒｏｌ  Ｉｎｆｏｒｍａｔｉｏｎ）である。即ち、ネットワーク側は、上記Ｓｉｄｅｌｉｎｋ配置情報を、ブロードキャスト、専用のＲＲＣ（Ｒａｄｉｏ  Ｒｅｓｏｕｒｃｅ  Ｃｏｎｔｒｏｌ）上位層シグナリング、ＭＡＣ  ＣＥ又はＤＣＩにより配置する。一方、上記相手端から送信されるシグナリングは、Ｓｉｄｅｌｉｎｋブロードキャストチャネルシグナリング、Ｓｉｄｅｌｉｎｋ物理層制御シグナリング又はＳｉｄｅｌｉｎｋ上位層シグナリングを含む。ここで、上記ブロードキャストチャネルは、ＰＳＢＣＨ（（Ｐｈｙｓｉｃａｌ  Ｓｉｄｅｌｉｎｋ  Ｂｒｏａｄｃａｓｔ  Ｃｈａｎｎｅｌ）、ＳＬ−ＭＩＢ（Ｓｉｄｅｌｉｎｋ  Ｍａｓｔｅｒ  Ｉｎｆｏｒｍａｔｉｏｎ  Ｂｌｏｃｋ）、又はＳＢＣＣＨ（Ｓｉｄｅｌｉｎｋ  Ｂｒｏａｄｃａｓｔ  Ｃｏｎｔｒｏｌ  Ｃｈａｎｎｅｌ）であり、上記Ｓｉｄｅｌｉｎｋ物理層制御シグナリングは、ＳＣＩ（Ｓｉｄｅｌｉｎｋ  Ｃｏｎｔｒｏｌ  Ｉｎｆｏｒｍａｔｉｏｎ）であり、上記Ｓｉｄｅｌｉｎｋ上位層シグナリングは、ＳｉｄｅｌｉｎｋのＭＡＣ  ＣＥ又はＲＲＣシグナリングである。
【００１４】
上記フィードバック配置情報は、Ｓｉｄｅｌｉｎｋでの端末のフィードバック動作を配置するための情報であり、端末は、該フィードバック配置情報に基づいてフィードバックを行って、Ｓｉｄｅｌｉｎｋでのフィードバック性能を向上させる。上記測定配置情報は、Ｓｉｄｅｌｉｎｋでの端末の測定動作を配置するための情報であり、端末は、該測定配置情報に基づいて測定を行って、Ｓｉｄｅｌｉｎｋでの測定性能を向上させる。
【００１５】
ステップ２０２において、前記Ｓｉｄｅｌｉｎｋ配置情報に基づいて、Ｓｉｄｅｌｉｎｋで測定動作及びフィードバック動作の少なくとも一方を行う。
【００１６】
ここで、上記測定動作は、測定基準信号を送信すること、又は測定基準信号を測定することなどであり、上記フィードバック動作は、相手側にフィードバックを行い、例えば伝送結果をフィードバックすること、又はＣＳＩ（ｃｈａｎｎｅｌ  ｓｔａｔｅ  ｉｎｆｏｒｍａｔｉｏｎ）をフィードバックすることなどである。
【００１７】
本開示の実施例において、測定基準信号は、チャネル推定又は探索のための基準信号であってもよいし、同期基準信号であってもよい。また、本開示の実施例において、測定基準信号は、測定信号と称されてもよい。
【００１８】
上記の前記Ｓｉｄｅｌｉｎｋ配置情報に基づいて、Ｓｉｄｅｌｉｎｋで測定動作及びフィードバック動作の少なくとも一方を行うことは、フィードバック配置情報に基づいてフィードバック動作を行うこと、及び／又は、測定配置情報に基づいて測定動作を行うことである。
【００１９】
上記ステップによれば、Ｓｉｄｅｌｉｎｋで端末が測定動作及びフィードバック動作の少なくとも一方を行うことを実現し、受信側から送信側へ何らの情報もフィードバックしない関連技術に比べ、本開示の実施例は、Ｓｉｄｅｌｉｎｋの伝送性能を向上させることができる。
【００２０】
また、Ｓｉｄｅｌｉｎｋで測定動作とフィードバック動作を行うことができるため、第１端末から相手側へ物理層のポイントツーポイント接続の確立を実現し、端末がＳｉｄｅｌｉｎｋで物理層のユニキャスト伝送を行うことをサポートし、再送応答又はＣＳＩなどの情報をフィードバックし、更に端末間でビームペアリングを行うこともでき、システムリソースの利用効率とスペクトル効率を向上させ、Ｓｉｄｅｌｉｎｋの伝送性能を向上させるという効果を奏する。例えば、端末間で上記物理層フィードバック情報に基づくビームペアリングを行い、ペアリングされたビームを用いてデータ伝送を行ったり、一方の端末が他方の端末からフィードバックされたフィードバック情報に基づくデータ再送を行ったりすることなどが可能である。
【００２１】
なお、本開示の実施例に係る上記方法は、ＬＴＥのＳｉｄｅｌｉｎｋ又は５Ｇ  ＮＲ  Ｓｉｄｅｌｉｎｋ又は８０２．１１ｐ又はＤＳＲＣ（Ｄｅｄｉｃａｔｅｄ  Ｓｈｏｒｔ  Ｒａｎｇｅ  Ｃｏｍｍｕｎｉｃａｔｉｏｎｓ）などのシステムに応用できる。ここで、８０２．１１ｐは、ＷＡＶＥ（Ｗｉｒｅｌｅｓｓ  Ａｃｃｅｓｓ  ｉｎ  ｔｈｅ  Ｖｅｈｉｃｕｌａｒ  Ｅｎｖｉｒｏｎｍｅｎｔ）システムともいう。しかし、これについて、限定されるものではなく、基本的に同一の機能を実現できるのであれば、他の通信システム、例えば６ＧシステムやＳｉｄｅｌｉｎｋを用いた他の通信システムなどにも適用する。
【００２２】
選択可能な実施形態として、前記フィードバック配置情報は、フィードバックの内容、フィードバックのタイプ、フィードバックの周期及びフィードバックビットのマッピング方式の少なくとも一方を含む。
【００２３】
ここで、前記フィードバックの内容は、ＰＳＳＣＨ（Ｐｈｙｓｉｃａｌ  Ｓｉｄｅｌｉｎｋ  Ｓｈａｒｅｄ  Ｃｈａｎｎｅｌ）の受信応答とＣＳＩフィードバックのうちの少なくとも一方を含む。前記フィードバックのタイプは、周期的フィードバック、非周期的フィードバック又は半永続的（Ｓｅｍｉ−Ｐｅｒｓｉｓｔｅｎｔ）フィードバックを含む。前記フィードバックビットのマッピング方式は、フィードバックビットに割り当てられる最大リソースユニットＲＥ（Ｒｅｓｏｕｒｃｅ  Ｅｌｅｍｅｎｔ）の数、フィードバックビットマッピングの符号化率オフセットＢｅｔａ−ｏｆｆｓｅｔ、同時フィードバックの最大ビット数、部分的フィードバックビット破棄配置、及びフィードバックビット結合配置の少なくとも一方を含む。
【００２４】
ここで、上記Ｂｅｔａ−ｏｆｆｓｅｔは、フィードバックビットがＰＳＳＣＨに多重化されて伝送される際にフィードバックビットとＰＳＳＣＨのリソースマッピングに実際に使用されるＢｅｔａ−ｏｆｆｓｅｔ配置を指示する。該Ｂｅｔａ−ｏｆｆｓｅｔ配置は、フィードバックビットに割り当てられるＲＥの数を指示する。該Ｂｅｔａ−ｏｆｆｓｅｔ指示により、端末間のインタラクティブ性能、ひいてはＳｉｄｅｌｉｎｋの伝送性能を向上させることができる。
【００２５】
ここで、上記部分的フィードバックビット破棄配置は、部分的フィードバックビットを廃棄するか否かを指示し、部分的フィードバックビットをどのように廃棄するかを指示する。例えば、端末のフィードバックすべきビットが最大ビット数を超えた場合や、フィードバックビットに割り当てられた最大ＲＥ数で全てのフィードバックビットを伝送できない場合、該部分的フィードバックビット破棄配置に基づいて廃棄する。部分的フィードバックビット破棄配置に基づいて廃棄するため、フィードバック性能を保証することができる。例えば、優先度に応じて廃棄し、又はタイプに応じて破棄する。
【００２６】
ここで、上記フィードバックビット結合配置は、フィードバックビットを結合するか否かを指示し、フィードバックビットをどのように結合するかを指示する。例えば、端末のフィードバックすべきビットが最大ビット数を超えた場合や、フィードバックビットに割り当てられた最大ＲＥ数で全てのフィードバックビットを伝送できない場合、複数のフィードバック情報を共通のフィードバックビットに結合することによって、より少ないリソースで多くのフィードバック情報をフィードバックすることを実現し、Ｓｉｄｅｌｉｎｋのフィードバック性能を向上させることができる。例えば、最大ビット数が２であり、端末があるシナリオで４つのフィードバック情報をフィードバックする必要があれば、４つのフィードバック情報をそれぞれ２ビットに結合してフィードバックする。例えば、１は、２つのフィードバック情報が全て受信成功であることを示し、０は、２つのフィードバック情報が全て受信失敗又は部分受信失敗であることを示す。
【００２７】
該実施形態において、上記フィードバック配置情報により端末のフィードバック挙動を明確化することを実現し、誤ったフィードバックを回避してＳｉｄｅｌｉｎｋのフィードバック性能を向上させることができる。
【００２８】
選択可能な実施形態として、前記測定配置情報は、測定基準信号配置、測定基準信号送信配置及び測定基準信号測定配置の少なくとも一方を含む。ここで、前記測定基準信号配置は、測定基準信号のタイプ、位置、帯域幅、周期及びシーケンスのうちの少なくとも一方を指示する。前記測定基準信号送信配置は、測定基準信号送信の有効化又は無効化を指示する。前記測定基準信号測定配置は、測定基準信号の測定の開始又は停止、前記測定基準信号のフィードバック情報送信の開始又は停止を指示する。
【００２９】
ここで、上記測定基準信号のシーケンスは、上記測定基準信号のシーケンスから生成されてもよく、又は上記測定基準信号のシーケンスを生成するものとして理解されてもよい。
【００３０】
上記測定基準信号送信の有効化は、測定基準信号の送信を許可すること、又は測定基準信号の送信を指示することであり、上記測定基準信号送信の無効化は、測定基準信号の送信を禁止することであると理解される。
【００３１】
該実施形態において、上記の測定配置情報により、測定基準信号の関連情報を決定することができ、測定基準信号の送信挙動、測定挙動及びフィードバック挙動を決定することにより、誤った測定動作が生じることを回避することができる。
【００３２】
選択可能な実施形態として、前記の前記Ｓｉｄｅｌｉｎｋ配置情報に基づいて、Ｓｉｄｅｌｉｎｋで測定及びフィードバックの少なくとも一方を行う前に、前記方法は、測定メカニズム及びフィードバックメカニズムの少なくとも一方を有効化又は無効化することを更に含む。前記Ｓｉｄｅｌｉｎｋ配置情報に基づいて、Ｓｉｄｅｌｉｎｋで測定動作及びフィードバック動作の少なくとも一方を行うことは、前記測定メカニズムが有効化されている場合、前記測定配置情報に基づいて測定動作を行うことと、前記フィードバックメカニズムが有効化されている場合、前記フィードバック配置情報に基づいてフィードバック動作を行うこととを含む。
【００３３】
ここで、上記測定メカニズムは、端末が測定動作を行うことを許可することであり、上記フィードバックメカニズムは、端末がフィードバック動作を行うことを許可することである。
【００３４】
該実施形態において、測定メカニズムとフィードバックメカニズムを柔軟に配置することを実現し、端末の消費電力及び伝送リソースを節約するなどの効果を達成することができる。例えば、端末の消費電力及び伝送リソースを節約するなどの効果を達成するために、シナリオによっては、測定メカニズム及びフィードバックメカニズムを無効化できる。シナリオによっては、フィードバック及び測定を行わなくてもよいからである。
【００３５】
なお、測定メカニズムとフィードバックメカニズムは、測定及びフィードバックメカニズムと呼ばれてもよい。即ち、該２種類のメカニズムは、共同で有効化されても、無効化されてもよく、もちろん、これについて限定されない。例えば、あるシナリオにおいて、フィードバックメカニズムを有効化して、測定メカニズムを無効化する。
【００３６】
選択可能に、前記の測定メカニズム及びフィードバックメカニズムの少なくとも一方を有効化又は無効化することは、事前の配置、ネットワーク側から送信されるシグナリング又は相手側から送信されるシグナリングに基づいて、測定メカニズム及びフィードバックメカニズムの少なくとも一方を有効化又は無効化することを含む。
【００３７】
上記のネットワーク側から送信されるシグナリングに基づいて、測定メカニズム及びフィードバックメカニズムの少なくとも一方を有効化又は無効化することは、ネットワーク側機器が、ブロードキャスト又は専用ＲＲＣ上位層シグナリング、ＭＡＣ  ＣＥ又はＤＣＩを介して、測定メカニズム及びフィードバックメカニズムの少なくとも一方を有効化又は無効化することである。上記の相手側から送信されるシグナリングに基づいて、測定メカニズム及びフィードバックメカニズムの少なくとも一方を有効化又は無効化することは、送信側がシグナリングを介して受信側に要求して、測定メカニズム及びフィードバックメカニズムの少なくとも一方を有効化又は無効化することである。
【００３８】
ここで、前記ネットワーク側から送信されるシグナリングは、ブロードキャストシグナリング、上位層シグナリング、ＭＡＣ  ＣＥ又はＤＣＩを含む。前記相手側から送信されるシグナリングは、Ｓｉｄｅｌｉｎｋブロードキャストチャネルシグナリング、Ｓｉｄｅｌｉｎｋブロードキャスト制御チャネルシグナリング、Ｓｉｄｅｌｉｎｋ物理層制御シグナリング又はＳｉｄｅｌｉｎｋ上位層シグナリングを含む。
【００３９】
該実施形態において、測定メカニズム及びフィードバックメカニズムの少なくとも一方を柔軟に有効化又は無効化することを実現し、Ｓｉｄｅｌｉｎｋの伝送性能を向上させる。
【００４０】
なお、測定メカニズム及びフィードバックメカニズムの有効化又は無効化と、上記Ｓｉｄｅｌｉｎｋ配置情報は、同一のシグナリングを介して配置される。これにより、伝送オーバーヘッドを節約できる。もちろん、Ｓｉｄｅｌｉｎｋ配置情報の配置と、測定メカニズム及びフィードバックメカニズムの有効化又は無効化は、異なる方式又は異なるシグナリングを介して実現されることもできる。これについて、限定されない。
【００４１】
また、端末がネットワーク側から送信されるシグナリングを受信し、且つ端末が事前配置内容を更に有することができる場合、端末は、ネットワーク側から送信されるシグナリングにおける配置を有効化することができる。即ち、ネットワーク側から送信されるシグナリングにおける配置が事前配置における内容を上書きする。
【００４２】
選択可能な実施形態として、前記の事前の配置、ネットワーク側から送信されるシグナリング又は相手側から送信されるシグナリングに基づいて、測定メカニズム及びフィードバックメカニズムの少なくとも一方を有効化又は無効化する前に、前記方法は、前記端末の能力情報をＲＲＣシグナリングによってネットワーク側に報告することと、前記Ｓｉｄｅｌｉｎｋを介して前記端末の能力情報をブロードキャストすることとの少なくとも一方を更に含む。ここで、前記能力情報は、測定のサポートの有無、フィードバックのサポートの有無、測定のサポートのタイプ、測定のサポートの内容、フィードバックのサポートのタイプ及びフィードバックのサポートの内容の少なくとも一方を含む。
【００４３】
ここで、前記測定のサポートの有無は、測定基準信号の送信をサポートするか否か、又は測定基準信号の測定をサポートするか否かであり、前記測定のサポートのタイプは、サポートされる測定基準信号のタイプであり、上記測定のサポートの内容は、サポートされる測定基準信号の内容である。
【００４４】
前記端末の能力情報を前記Ｓｉｄｅｌｉｎｋを介してブロードキャストすることは、該端末の能力情報を周辺端末（例えば、周辺の受信側）にＳｉｄｅｌｉｎｋによるブロードキャストで通知することである。
【００４５】
該実施形態において、ネットワーク側又は周辺端末に該端末の能力情報を送信することで、ネットワーク側は、該能力情報に基づいて、対応な配置を行い、通信システムの性能を向上させ、誤った配置を回避する。周辺端末は、該端末の能力情報に基づいて、対応する伝送をＳｉｄｅｌｉｎｋで行い、Ｓｉｄｅｌｉｎｋの転送性能を向上させる。
【００４６】
選択可能な実施形態として、前記のＳｉｄｅｌｉｎｋでフィードバック動作を行うことは、ＳｉｄｅｌｉｎｋでＳＣＩ、ＳＣＩでスケジューリングされたＰＳＳＣＨ及びＭＡＣ  ＣＥのうちの少なくとも一方によって、フィードバックビット及びフィードバック指示情報を伝送することを含む。
【００４７】
なお、上記フィードバックビットとフィードバック指示情報は、ＳＣＩ、ＳＣＩでスケジューリングされるＰＳＳＣＨ及びＭＡＣ  ＣＥのいずれかで伝送されてもよく、又は、フィードバックビットがＳＣＩ、ＳＣＩでスケジューリングされるＰＳＳＣＨ及びＭＡＣ  ＣＥの一部で伝送され、フィードバック指示情報が他の一部で伝送されてもよく、これについて、限定されない。選択可能に、上記フィードバック指示情報は、上記ＳＣＩで伝送されるが、もちろん、ＳＣＩは、上記フィードバック指示情報の他に、フィードバックビットを伝送したり、伝送しなかったりしてもよい。
【００４８】
該実施形態において、端末がＳＣＩ内でフィードバックビットを搬送又は伝送することが可能であり、また、端末がＳＣＩによってスケジューリングされたＰＳＳＣＨ内でフィードバックビットを搬送する（即ち、ＰＳＳＣＨにフィードバックビットを多重化する）ことが可能であり、スケジューリングされたＳＣＩ内でＰＳＳＣＨ又はＳＣＩ内にフィードバックビットが存在するか否かを指示することが可能であり、ＵＥがＭＡＣ層シグナリング（例えば、ＭＡＣ  ＣＥ）においてフィードバックビットを搬送することも可能である。これにより、異なる通信ニーズに対応するように多様なフィードバックが可能となり、Ｓｉｄｅｌｉｎｋのフィードバック性能が向上する。
【００４９】
選択可能に、前記フィードバック指示情報は、フィードバックのタイプ又は内容、フィードバックの受信対象及び応答フィードバックのＰＳＳＣＨ伝送プロセス番号の少なくとも一方を含む。ここで、前記フィードバックのタイプ又は内容は、ＰＳＳＣＨ受信の応答及びＣＳＩフィードバックのうちの少なくとも一方を含む。前記フィードバックの受信対象は、フィードバックを行う端末である受信側のＩＤ、前記受信側のグループＩＤ、ネットワークから前記受信側に割り当てた固定ＩＤ、ネットワークから前記受信側に割り当てた仮ＩＤ又は前記受信側の切断ＩＤ（ｔｒｕｎｃａｔｅｄ  ＩＤ）を含む。
【００５０】
ここで、ＰＳＳＣＨ受信の応答は、ＨＡＲＱ−ＡＣＫ又は他の応答であり、上記ＣＳＩフィードバックは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＣＲＩ（ＣＳＩ−ＲＳ  ｒｅｓｏｕｒｃｅ  ｉｎｄｉｃａｔｏｒ）、ＲＩ（Ｒａｎｋ  Ｉｎｄｉｃａｔｉｏｎ）、ＬＩ（Ｌａｙｅｒ  Ｉｎｄｉｃａｔｉｏｎ）、及びＬ１−ＲＳＲＰ（Ｌａｙｅｒ１  Ｒｅｆｅｒｅｎｃｅ  Ｓｉｇｎａｌ  Ｒｅｃｅｉｖｅｄ  Ｐｏｗｅｒ）の少なくとも一方を含む。ここで、上記ＣＳＩ−ＲＳは、チャネル状態情報基準信号（Ｃｈａｎｎｅｌ  Ｃｏｎｄｉｔｉｏｎ  Ｉｎｆｏｒｍａｔｉｏｎ  Ｒｅｆｅｒｅｎｃｅ  Ｓｉｇｎａｌ）である。
【００５１】
ここで、上記受信側は、本開示の実施例で応用される端末であり、ＰＳＳＣＨ伝送又はシグナリング伝送過程で上記端末が送信側としても受信側としてもよいからである。もちろん、上記受信側は、フィードバックを行う他の端末であってもよく、これについて、限定されない。上記仮ＩＤは、ＲＮＴＩ（Ｒａｄｉｏ  Ｎｅｔｗｏｒｋ  Ｔｅｍｐｏｒａｒｙ  Ｉｄｅｎｔｉｔｙ）である。
【００５２】
上記フィードバックの受信対象により、Ｓｉｄｅｌｉｎｋのフィードバック性能を向上させることができる。
【００５３】
選択可能な実施形態として、前記のＳｉｄｅｌｉｎｋで測定動作を行うことは、測定基準信号を前記Ｓｉｄｅｌｉｎｋで相手側に送信することと、前記Ｓｉｄｅｌｉｎｋで相手端から送信された測定基準信号を測定することとの少なくとも一方を含む。
【００５４】
該実施形態において、端末が測定基準信号を相手側に送信し、相手側が測定を行い、測定結果をフィードバックすることが実現される。更に、相手側から送信された測定基準信号の測定を実現し、その後、フィードバック動作によって相手側に測定結果をフィードバックすることにより、Ｓｉｄｅｌｉｎｋの測定性能を向上させることができる。且つフィードバックされた測定結果を伝送の適応化、例えば、ビームペアリングに使用することができ、システムリソース利用効率及びスペクトル効率を向上させることができる。
【００５５】
選択可能な実施形態として、前記のＳｉｄｅｌｉｎｋ配置情報を取得した後に、前記方法は、相手側のフィードバックメカニズムの使用事例に応じて、対応する伝送方式でＰＳＳＣＨデータを送信することを更に含む。ここで、前記使用事例がフィードバックメカニズムの有効化である場合、前記伝送方式において、前記相手側からのフィードバック受信に失敗すると、受信に失敗したＰＳＳＣＨデータを再送する。前記使用事例がフィードバックメカニズムの無効化である場合、前記伝送方式において、前記ＰＳＳＣＨデータのブラインド再送を行う。ここで、前記ブラインド再送とは、同一のＰＳＳＣＨデータの伝送ブロックである複数の同じ伝送ブロックを伝送する。又は、前記ブラインド再送とは、同一のＰＳＳＣＨデータの伝送ブロックである複数の異なる冗長バージョンの伝送ブロックを伝送する。
【００５６】
ここで、上記相手側のフィードバックメカニズムの使用事例は、相手側がＳｉｄｅｌｉｎｋで送信したもの、ネットワーク側で配置したもの、予め配置したものなどがあるが、これについて、限定されない。
【００５７】
該実施形態において、相手側のフィードバックメカニズムの使用事例が決定された後に、データ伝送の成功率を高めるために、相応の伝送方式を用いて伝送を行う。例えば、相手側がフィードバックメカニズムを有効化する場合、前記伝送方式において、前記相手側からのフィードバック受信に失敗すると、受信に失敗したＰＳＳＣＨデータを再送する。相手側からのフィードバック受信に成功すると、ＰＳＳＣＨデータを１回だけ伝送すればよく、伝送リソースを節約できる。使用事例がフィードバックメカニズムの無効化である場合、ブラインド再送を行い、即ち、同じＰＳＳＣＨデータの複数の伝送ブロックを伝送する。ここで、該複数の伝送ブロックは、同じ伝送ブロックであり、又は複数の異なる冗長バージョンの伝送ブロックである。
【００５８】
以下、複数の例を挙げて、上記Ｓｉｄｅｌｉｎｋの動作方法を説明する。
【００５９】
例１：
１．通信事業者は、ｓｉｄｅｌｉｎｋ事前配置パラメータにおいて物理層測定及びフィードバックメカニズムをオフにする。
２．ＵＥ−１は、ネットワークカバレッジ外で、事前配置情報に従って動作し、ｓｉｄｅｌｉｎｋで物理層ブロードキャストに基づくメカニズムで伝送する。ここで、関連技術のメカニズムに従って、同時に同期信号を受信側ＵＥにブロードキャストして同期をとり、データを受信してもよい。
３．ＵＥ−１は、ネットワークカバレッジ内に移動し、ネットワーク側機器からブロードキャストされた配置情報を受信する。該ブロードキャスト配置は、物理層測定及びフィードバックメカニズムを有効化し、測定配置情報及びフィードバック配置情報を提供する。ＵＥ−１は、ブロードキャストされた配置情報を有効化する。
４．ＵＥ−１は、ｓｉｄｅｌｉｎｋで、測定及びフィードバックをサポートする能力を周辺ＵＥに通知し、測定及びフィードバックメカニズムを有効化することを通知し、測定基準信号を送信し、受信側ＵＥにフィードバックの送信を要求する。ここで、該要求は、測定基準信号配置及びフィードバック配置情報などを含む。
５．ＵＥ−１は、ｓｉｄｅｌｉｎｋ同期信号により、ある送信側ＵＥ−２と同期し、その測定とフィードバックの能力と配置情報を取得する。該送信側ＵＥ−２は、測定基準信号を有効化する場合、その信号を測定する。
６．ＵＥ−１は、ＵＥ−２から送信されたユニキャストＰＳＳＣＨを受信すると、ＰＳＳＣＨ受信復調結果（例えば、ＨＡＲＱ−ＡＣＫ）をｓｉｄｅｌｉｎｋでフィードバックする。
７．ＵＥ−１は、ＵＥ−２から送信された測定とフィードバックの配置情報に基づいて、ｓｉｄｅｌｉｎｋ測定結果をＵＥ−２にフィードバックする。
８．同様に、ＵＥ−２は、ｓｉｄｅｌｉｎｋを介してＨＡＲＱ−ＡＣＫ及びｓｉｄｅｌｉｎｋ測定結果をＵＥ−１にフィードバックする。
【００６０】
例２：
１．ＵＥ−１とＵＥ−２は、ネットワークカバレッジ内に移動し、ネットワークにアクセスし、ｓｉｄｅｌｉｎｋ能力を報告する。ＵＥ−１は、測定基準信号送信及びフィードバック能力をサポートし、ＵＥ−２は、フィードバック能力のみをサポートする。ネットワーク側は、ＲＲＣシグナリングを介してＵＥ−１とＵＥ−２のフィードバック配置を有効化して配置し、且つＵＥ−１のｓｉｄｅｌｉｎｋ測定基準信号配置を有効化して配置する。
２．ＵＥ−１は、ネットワーク側配置に基づいて、ｓｉｄｅｌｉｎｋで測定基準信号を送信する。
３．ＵＥ−２は、ＵＥ−１から送信されたユニキャストＰＳＳＣＨを受信すると、ｓｉｄｅｌｉｎｋを介してＨＡＲＱ−ＡＣＫをフィードバックする。
４．同様に、ＵＥ−１は、ｓｉｄｅｌｉｎｋを介してＵＥ−２にＨＡＲＱ−ＡＣＫをフィードバックする。
【００６１】
例３：
１．ＵＥ−１とＵＥ−２は、ネットワークカバレッジ内に移動し、ネットワークにアクセスし、ｓｉｄｅｌｉｎｋ能力を報告する。ＵＥ−１は、測定基準信号送信及びフィードバック能力をサポートし、ＵＥ−２は、フィードバック能力をサポートしない。ネットワーク側は、ＲＲＣシグナリングを介してＵＥ−１のフィードバック配置を有効化して配置し、且つＵＥ−１のｓｉｄｅｌｉｎｋ測定基準信号配置を有効化して配置する。
２．ＵＥ−１は、ネットワーク側配置に基づいて、ｓｉｄｅｌｉｎｋで測定基準信号を送信する。
３．ＵＥ−２は、ｓｉｄｅｌｉｎｋフィードバックを有効化することもサポートすることもしないことを、周辺の受信ＵＥにｓｉｄｅｌｉｎｋブロードキャストを介して通知する。
４．ＵＥ−１は、ＵＥ−２のブロードキャスト情報を受信することによって、ＵＥ−２がｓｉｄｅｌｉｎｋフィードバックを有効化しないことを知る。ＵＥ−１は、ＵＥ−２にＰＳＳＣＨを送信する必要がある場合、同数分のブロードキャスト（即ちブラインド再送）をしてＰＳＳＣＨを送信する。
５．ＵＥ−２は、ＵＥ−１から送信されたＰＳＳＣＨを受信すると、ＨＡＲＱ−ＡＣＫをｓｉｄｅｌｉｎｋでフィードバックせずに、受信された複数のＰＳＳＣＨのの復調又はマージを試みる。
【００６２】
本開示の実施例において、フィードバック配置情報及び測定配置情報のうちの少なくとも一方を含むＳｉｄｅｌｉｎｋ配置情報を取得し、前記Ｓｉｄｅｌｉｎｋ配置情報に基づいて、Ｓｉｄｅｌｉｎｋで測定動作及びフィードバック動作の少なくとも一方を行う。それによって、Ｓｉｄｅｌｉｎｋの伝送性能を向上させることができる。
【００６３】
図３を参照する。図３は、本開示の実施例に係る端末の構造図である。図３に示すように、端末３００は、フィードバック配置情報及び測定配置情報のうちの少なくとも一方を含むＳｉｄｅｌｉｎｋ配置情報を取得する取得モジュール３０１と、前記Ｓｉｄｅｌｉｎｋ配置情報に基づいて、Ｓｉｄｅｌｉｎｋで測定動作及びフィードバック動作の少なくとも一方を行う実行モジュール３０２とを含む。
【００６４】
選択可能に、前記フィードバック配置情報は、フィードバックの内容、フィードバックのタイプ、フィードバックの周期及びフィードバックビットのマッピング方式の少なくとも一方を含む。
【００６５】
選択可能に、前記フィードバックの内容は、ＰＳＳＣＨの受信応答とチャネル状態情報ＣＳＩフィードバックのうちの少なくとも一方を含み、前記フィードバックのタイプは、周期的フィードバック、非周期的フィードバック又は半永続的フィードバックを含み、前記フィードバックビットのマッピング方式は、フィードバックビットに割り当てられる最大リソースユニットＲＥの数、フィードバックビットマッピングの符号化率オフセットＢｅｔａ−ｏｆｆｓｅｔ、同時フィードバックの最大ビット数、部分的フィードバックビット破棄配置、及びフィードバックビット結合配置の少なくとも一方を含む。
【００６６】
選択可能に、前記測定配置情報は、測定基準信号配置、測定基準信号送信配置及び測定基準信号測定配置の少なくとも一方を含み、ここで、前記測定基準信号配置は、測定基準信号のタイプ、位置、帯域幅、周期及びシーケンスのうちの少なくとも一方を指示し、前記測定基準信号送信配置は、測定基準信号送信の有効化又は無効化を指示し、前記測定基準信号測定配置は、測定基準信号の測定の開始又は停止、前記測定基準信号のフィードバック情報送信の開始又は停止を指示する。
【００６７】
選択可能に、図４に示すように、前記端末３００は、測定メカニズム及びフィードバックメカニズムの少なくとも一方を有効化又は無効化する有効化モジュール３０３を更に含み、前記実行モジュール３０２は、前記測定メカニズムが有効化されている場合、前記測定配置情報に基づいて測定動作を行う測定ユニット３０２１と、前記フィードバックメカニズムが有効化されている場合、前記フィードバック配置情報に基づいてフィードバック動作を行うフィードバックユニット３０２２とを含む。
【００６８】
選択可能に、前記有効化モジュール３０３は、事前の配置、ネットワーク側から送信されるシグナリング又は相手側から送信されるシグナリングに基づいて、測定メカニズム及びフィードバックメカニズムの少なくとも一方を有効化又は無効化する。
【００６９】
選択可能に、前記取得モジュール３０１は、事前の配置、ネットワーク側から送信されるシグナリング又は相手側から送信されるシグナリングから、Ｓｉｄｅｌｉｎｋ配置情報を取得する。
【００７０】
選択可能に、前記ネットワーク側から送信されるシグナリングは、ブロードキャストシグナリング、上位層シグナリング、メディアアクセス制御の制御ユニットＭＡＣ  ＣＥ又は下り制御情報ＤＣＩを含み、前記相手側から送信されるシグナリングは、Ｓｉｄｅｌｉｎｋブロードキャストチャネルシグナリング、Ｓｉｄｅｌｉｎｋブロードキャスト制御チャネルシグナリング、Ｓｉｄｅｌｉｎｋ物理層制御シグナリング又はＳｉｄｅｌｉｎｋ上位層シグナリングを含む。
【００７１】
選択可能に、図５に示すように、前記端末３００は、前記端末の能力情報を無線リソース制御ＲＲＣシグナリングによってネットワーク側に報告する第１報告モジュール３０４と、前記Ｓｉｄｅｌｉｎｋを介して前記端末の能力情報をブロードキャストする第２報告モジュール３０５との少なくとも一方を更に含み、ここで、前記能力情報は、測定のサポートの有無、フィードバックのサポートの有無、測定のサポートのタイプ、測定のサポートの内容、フィードバックのサポートのタイプ及びフィードバックのサポートの内容の少なくとも一方を含む。
【００７２】
選択可能に、前記のＳｉｄｅｌｉｎｋでフィードバック動作を行うことは、ＳｉｄｅｌｉｎｋでＳＣＩ、ＳＣＩでスケジューリングされたＰＳＳＣＨ及びＭＡＣ  ＣＥのうちの少なくとも一方によって、フィードバックビット及びフィードバック指示情報を伝送することを含む。
【００７３】
選択可能に、前記フィードバック指示情報は、フィードバックのタイプ又は内容、フィードバックの受信対象及び応答フィードバックのＰＳＳＣＨ伝送プロセス番号の少なくとも一方を含み、ここで、前記フィードバックのタイプ又は内容は、ＰＳＳＣＨ受信の応答及びＣＳＩフィードバックのうちの少なくとも一方を含み、前記フィードバックの受信対象は、フィードバックを行う端末である受信側のＩＤ、前記受信側のグループＩＤ、ネットワークから前記受信側に割り当てた固定ＩＤ、ネットワークから前記受信側に割り当てた仮ＩＤ又は前記受信側の切断ＩＤを含む。
【００７４】
選択可能に、前記のＳｉｄｅｌｉｎｋで測定動作を行うことは、測定基準信号を前記Ｓｉｄｅｌｉｎｋで相手側に送信することと、前記Ｓｉｄｅｌｉｎｋで相手端から送信された測定基準信号を測定することとの少なくとも一方を含む。
【００７５】
選択可能に、図６に示すように、前記端末は、相手側のフィードバックメカニズムの使用事例に応じて、対応する伝送方式でＰＳＳＣＨデータを送信する送信モジュール３０６を更に含む。ここで、前記使用事例がフィードバックメカニズムの有効化である場合、前記伝送方式において、前記相手側からのフィードバック受信に失敗すると、受信に失敗したＰＳＳＣＨデータを再送する。前記使用事例がフィードバックメカニズムの無効化である場合、前記伝送方式において、前記ＰＳＳＣＨデータのブラインド再送を行う。ここで、前記ブラインド再送とは、同一のＰＳＳＣＨデータの伝送ブロックである複数の同じ伝送ブロックを伝送する。又は、前記ブラインド再送とは、同一のＰＳＳＣＨデータの伝送ブロックである複数の異なる冗長バージョンの伝送ブロックを伝送する。
【００７６】
なお、本開示の実施例に係る端末は、図２に示す方法実施例において端末によって実現される各プロセスを実現することができるので、重複を避けるために、ここでは繰り返して記載しない。Ｓｉｄｅｌｉｎｋの伝送性能を向上させることができる。
【００７７】
図７は、本開示の各実施例を実現する端末のハードウェア構造図である。該端末７００は、ラジオ周波数ユニット７０１と、ネットワークモジュール７０２と、オーディオ出力ユニット７０３と、入力ユニット７０４と、センサ７０５と、表示ユニット７０６と、ユーザ入力ユニット７０７と、インタフェースユニット７０８と、メモリ７０９と、プロセッサ７１０と、電源７１１などの部品を含むが、それらに限定されない。図７に示される端末の構造は、端末を限定するものではなく、端末は、図示されるよりも多い又は少ない部品を含むことができ、又は特定の部品を組み合わせることができ、又は異なる部品の配置を含むことができることを、当業者は理解可能である。本開示の実施例において、端末は、携帯電話、タブレットパソコン、ノートパソコン、パームトップパソコン、車載端末、ウェアラブルデバイス及び歩数計などを含むが、それらに限定されない。
【００７８】
ここで、１つの実施例において、上記端末が本開示の実施例で定義されている第１端末である場合、プロセッサ７１０は、フィードバック配置情報及び測定配置情報のうちの少なくとも一方を含むＳｉｄｅｌｉｎｋ配置情報を取得し、ラジオ周波数ユニット７０１は、前記Ｓｉｄｅｌｉｎｋ配置情報に基づいて、Ｓｉｄｅｌｉｎｋで測定動作及びフィードバック動作の少なくとも一方を行う。
【００７９】
選択可能に、前記フィードバック配置情報は、フィードバックの内容、フィードバックのタイプ、フィードバックの周期及びフィードバックビットのマッピング方式の少なくとも一方を含む。
【００８０】
選択可能に、前記フィードバックの内容は、ＰＳＳＣＨの受信応答とチャネル状態情報ＣＳＩフィードバックのうちの少なくとも一方を含み、前記フィードバックのタイプは、周期的フィードバック、非周期的フィードバック又は半永続的フィードバックを含み、前記フィードバックビットのマッピング方式は、フィードバックビットに割り当てられる最大リソースユニットＲＥの数、フィードバックビットマッピングの符号化率オフセットＢｅｔａ−ｏｆｆｓｅｔ、同時フィードバックの最大ビット数、部分的フィードバックビット破棄配置、及びフィードバックビット結合配置の少なくとも一方を含む。
【００８１】
選択可能に、前記測定配置情報は、測定基準信号配置、測定基準信号送信配置及び測定基準信号測定配置の少なくとも一方を含み、ここで、前記測定基準信号配置は、測定基準信号のタイプ、位置、帯域幅、周期及びシーケンスのうちの少なくとも一方を指示し、前記測定基準信号送信配置は、測定基準信号送信の有効化又は無効化を指示し、前記測定基準信号測定配置は、測定基準信号の測定の開始又は停止、前記測定基準信号のフィードバック情報送信の開始又は停止を指示する。
【００８２】
選択可能に、前記の前記Ｓｉｄｅｌｉｎｋ配置情報に基づいて、Ｓｉｄｅｌｉｎｋで測定及びフィードバックの少なくとも一方を行う前に、プロセッサ７１０は、更に、測定メカニズム及びフィードバックメカニズムの少なくとも一方を有効化又は無効化する。ラジオ周波数ユニット７０１によって実行される、前記Ｓｉｄｅｌｉｎｋ配置情報に基づいて、Ｓｉｄｅｌｉｎｋで測定動作及びフィードバック動作の少なくとも一方を行うことは、前記測定メカニズムが有効化されている場合、前記測定配置情報に基づいて測定動作を行うことと、前記フィードバックメカニズムが有効化されている場合、前記フィードバック配置情報に基づいてフィードバック動作を行うこととを含む。
【００８３】
選択可能に、プロセッサ７１０によって実行される、前記の測定メカニズム及びフィードバックメカニズムの少なくとも一方を有効化又は無効化することは、事前の配置、ネットワーク側から送信されるシグナリング又は相手側から送信されるシグナリングに基づいて、測定メカニズム及びフィードバックメカニズムの少なくとも一方を有効化又は無効化することを含む。
【００８４】
選択可能に、プロセッサ７１０によって実行される、前記のＳｉｄｅｌｉｎｋ配置情報を取得することは、事前の配置、ネットワーク側から送信されるシグナリング又は相手側から送信されるシグナリングから、Ｓｉｄｅｌｉｎｋ配置情報を取得することを含む。
【００８５】
選択可能に、前記ネットワーク側から送信されるシグナリングは、ブロードキャストシグナリング、上位層シグナリング、メディアアクセス制御の制御ユニットＭＡＣ  ＣＥ又は下り制御情報ＤＣＩを含み、前記相手側から送信されるシグナリングは、Ｓｉｄｅｌｉｎｋブロードキャストチャネルシグナリング、Ｓｉｄｅｌｉｎｋブロードキャスト制御チャネルシグナリング、Ｓｉｄｅｌｉｎｋ物理層制御シグナリング又はＳｉｄｅｌｉｎｋ上位層シグナリングを含む。
【００８６】
選択可能に、前記の事前の配置、ネットワーク側から送信されるシグナリング又は相手側から送信されるシグナリングに基づいて、測定メカニズム及びフィードバックメカニズムの少なくとも一方を有効化又は無効化する前に、ラジオ周波数ユニット７０１は、更に、前記端末の能力情報を無線リソース制御ＲＲＣシグナリングによってネットワーク側に報告することと、前記Ｓｉｄｅｌｉｎｋを介して前記端末の能力情報をブロードキャストすることとの少なくとも一方を実行する。ここで、前記能力情報は、測定のサポートの有無、フィードバックのサポートの有無、測定のサポートのタイプ、測定のサポートの内容、フィードバックのサポートのタイプ及びフィードバックのサポートの内容の少なくとも一方を含む。
【００８７】
選択可能に、前記のＳｉｄｅｌｉｎｋでフィードバック動作を行うことは、Ｓｉｄｅｌｉｎｋでサイドリンク制御情報ＳＣＩ、ＳＣＩでスケジューリングされたＰＳＳＣＨ及びＭＡＣ  ＣＥのうちの少なくとも一方によって、フィードバックビット及びフィードバック指示情報を伝送することを含む。
【００８８】
選択可能に、前記フィードバック指示情報は、フィードバックのタイプ又は内容、フィードバックの受信対象及び応答フィードバックのＰＳＳＣＨ伝送プロセス番号の少なくとも一方を含み、ここで、前記フィードバックのタイプ又は内容は、ＰＳＳＣＨ受信の応答及びＣＳＩフィードバックのうちの少なくとも一方を含み、前記フィードバックの受信対象は、フィードバックを行う端末である受信側のＩＤ、前記受信側のグループＩＤ、ネットワークから前記受信側に割り当てた固定ＩＤ、ネットワークから前記受信側に割り当てた仮ＩＤ又は前記受信側の切断ＩＤを含む。
【００８９】
選択可能に、前記のＳｉｄｅｌｉｎｋで測定動作を行うことは、測定基準信号を前記Ｓｉｄｅｌｉｎｋで相手側に送信することと、前記Ｓｉｄｅｌｉｎｋで相手端から送信された測定基準信号を測定することとの少なくとも一方を含む。
【００９０】
選択可能に、前記のＳｉｄｅｌｉｎｋ配置情報を取得した後に、ラジオ周波数ユニット７０１は、更に、相手側のフィードバックメカニズムの使用事例に応じて、対応する伝送方式でＰＳＳＣＨデータを送信する。ここで、前記使用事例がフィードバックメカニズムの有効化である場合、前記伝送方式において、前記相手側からのフィードバック受信に失敗すると、受信に失敗したＰＳＳＣＨデータを再送する。前記使用事例がフィードバックメカニズムの無効化である場合、前記伝送方式において、前記ＰＳＳＣＨデータのブラインド再送を行う。ここで、前記ブラインド再送とは、同一のＰＳＳＣＨデータの伝送ブロックである複数の同じ伝送ブロックを伝送する。又は、前記ブラインド再送とは、同一のＰＳＳＣＨデータの伝送ブロックである複数の異なる冗長バージョンの伝送ブロックを伝送する。
【００９１】
上記端末は、Ｓｉｄｅｌｉｎｋの伝送性能を向上させることができる。
【００９２】
なお、本開示の実施例において、ラジオ周波数ユニット７０１は、情報の送受信又は通話中で信号の送受信に用いられ、具体的に、基地局からの下りデータを受信した後、プロセッサ７１０による処理をして、また、上りデータを基地局に送信する。一般に、ラジオ周波数ユニット７０１は、アンテナ、少なくとも１つの増幅器、トランシーバ、結合器、低雑音増幅器、デュプレクサなどを含むが、それらに限定されない。また、ラジオ周波数ユニット７０１は、無線通信システムを介してネットワークや他の機器と通信を行うこともできる。
【００９３】
端末は、ネットワークモジュール７０２を介して、電子メールの送受信、ウェブページの閲覧、ストリーミングメディアへのアクセスをサポートするなど、無線ブロードバンドインターネットアクセスをユーザに提供する。
【００９４】
オーディオ出力ユニット７０３は、ラジオ周波数ユニット７０１やネットワークモジュール７０２が受信したオーディオデータや、メモリ７０９に記憶されたオーディオデータをオーディオ信号に変換して音声として出力することができる。また、オーディオ出力ユニット７０３は、端末７００が実行する特定の機能に関するオーディオ（例えば、呼出信号着信音、メッセージ着信音等）を出力してもよい。オーディオ出力ユニット７０３は、スピーカ、ブザー及びレシーバなどを含む。
【００９５】
入力ユニット７０４は、オーディオや映像の信号を受信することに用いられる。入力ユニット７０４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）７０４１と、マイク７０４２とを含む。処理された画像フレームは、表示ユニット７０７上に表示される。グラフィックスプロセッサ７０４１で処理された画像フレームは、メモリ７０９（又は他の記憶媒体）に記憶されるか、又はラジオ周波数ユニット７０１又はネットワークモジュール７０２を介して送信される。マイク７０４２は、音声を受信し、オーディオデータに加工することができる。処理されたオーディオデータは、電話通話モードの場合、ラジオ周波数ユニット７０１を介して移動体通信基地局に送信可能な形式に変換して出力することができる。
【００９６】
端末７００は、光センサ、モーションセンサ及び他のセンサのような少なくとも１つのセンサ７０５を更に含む。具体的には、光センサは、周辺光センサ及び近接センサを含む。周辺光センサは、周辺光の明暗に応じて表示パネル７０６１の輝度を調節し、近接センサは、端末７００が耳辺に移動したときに表示パネル７０６１及び／又はバックライトを消灯する。モーションセンサの１種として、加速度計センサは、様々な方向（一般的には３軸）の加速度の大きさを検出でき、静止時は重力の大きさ及び方向を検出でき、端末姿勢の認識（例えば、縦横画面切替、関連ゲーム、磁力計姿勢キャリブレーション）、振動認識関連機能（たとえば、歩数計、ノッキング）などに用いられることができる。センサ７０５は、指紋センサ、圧力センサ、虹彩センサ、分子センサ、ジャイロスコープ、気圧計、湿度計、温度計、赤外線センサなどを更に含むことができるが、ここでは枚挙しない。
【００９７】
表示ユニット７０６は、ユーザが入力した情報やユーザに提供した情報を表示するために用いられる。表示ユニット７０６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル７０６１を含んでもよい。
【００９８】
ユーザ入力ユニット７０７は、数字や文字情報の入力を受け付け、ユーザによる端末の設定や機能制御に関するキー信号の入力を行うことに用いられる。具体的に、ユーザ入力ユニット７０７は、タッチパネル７０７１と、その他の入力機器７０７２とを含む。タッチパネル７０７１は、タッチスクリーンとも呼ばれ、その上又は付近でのユーザのタッチ操作を取得可能である（たとえばユーザが指やスタイラスなどの任意の適切な物体や付属部材を用いたタッチパネル７０７１の上又はタッチパネル７０７１の付近での操作）。タッチパネル７０７１は、タッチ検出装置とタッチコントローラの２つの部分を含む。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ７１０に送り、プロセッサ７１０からの命令を受信して実行する。なお、タッチパネル７０７１は、抵抗膜式、静電容量式、赤外線、表面弾性波など、種々の方式を用いて実現することができる。ユーザ入力ユニット７０７は、タッチパネル７０７１の他に、他の入力機器７０７２を含んでもよい。具体的に、他の入力機器７０７２は、物理的なキーボード、機能キー（例えば、音量調節キー、スイッチキーなど）、トラックボール、マウス、レバーなどを含むが、ここでは枚挙しない。
【００９９】
更に、タッチパネル７０７１は、表示パネル７０６１に重ねられる。タッチパネル７０７１は、その上又はその近くでタッチ操作を検出すると、プロセッサ７１０に送信して、タッチイベントのタイプを決定する。次いで、プロセッサ７１０は、タッチイベントのタイプに応じて、対応する視覚的出力を表示パネル７０６１に提供する。図７では、タッチパネル７０７１と表示パネル７０６１は、独立した２つの部品として端末の入出力機能を実現するが、実施例によっては、タッチパネル７０７１と表示パネル７０６１を一体化して端末の入出力機能を実現することもでき、具体的にここでは限定しない。
【０１００】
インタフェースユニット７０８は、外部装置と端末７００とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インタフェースユニット７０８は、外部装置から入力（たとえば、データ情報、電力など）を受信し、受信した入力を端末７００内の１つ以上のユニットに伝送するために使用されてもよく、又は端末７００と外部装置との間でデータを伝送するために使用されてもよい。
【０１０１】
メモリ７０９は、ソフトウェアプログラム及び様々なデータを格納するために使用される。メモリ７０９は、オペレーティングシステム、少なくとも１つの機能に必要なアプリケーション（たとえば、音声再生機能、画像再生機能など）などを格納することができるプログラム格納領域と、データ格納領域とを主に含んでもよい。データ格納領域は、オーディオデータや電話帳など、携帯電話機の使用に応じて作成されたデータを記憶することができる。更に、メモリ７０９は、高速ランダムアクセスメモリを含んでもよく、少なくとも１つの磁気ディスク記憶装置、フラッシュメモリデバイスなどの不揮発性メモリ、又は他の揮発性固体記憶デバイスを含んでもよい。
【０１０２】
プロセッサ７１０は、端末の制御センタであり、各種インタフェースや回線を用いて端末全体の各部を接続し、メモリ７０９に格納されたソフトウェアプログラム及び／又はモジュールを実行か動作し、メモリ７０９に格納されたデータを呼び出して端末の各種機能及び処理データを実行し、端末全体の監視を行う。プロセッサ７１０は、１つ以上の処理ユニットを含んでもよい。選択可能に、プロセッサ７１０は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ７１０に統合されなくてもよいことが理解される。
【０１０３】
端末７００は、各部品に電力を供給するためのバッテリのような電源７１１を更に含んでもよい。選択可能に、電源７１１は、電源管理システムを介してプロセッサ７１０に論理的に接続されてもよく、電源管理システムを介して充電、放電、及び消費電力管理などを管理する機能を実現してもよい。
【０１０４】
また、端末７００は、図示しない機能モジュールを更に含んでもよく、ここでの説明は省略する。
【０１０５】
選択可能に、本開示の実施例は、プロセッサ７１０と、メモリ７０９と、メモリ７０９に格納されて前記プロセッサ７１０で動作可能なコンピュータプログラムを含む端末を更に提供し、該コンピュータプログラムがプロセッサ７１０によって実行されると、上記Ｓｉｄｅｌｉｎｋの動作方法の実施例の各プロセスが実現され、且つ同じ技術効果を奏することもできるので、重複を避けるために、ここでは繰り返して記載しない。
【０１０６】
本開示の実施例は、コンピュータプログラムが格納されているコンピュータ読み取り可能な記憶媒体を更に提供し、当該コンピュータプログラムがプロセッサによって実行されると、本開示の実施例に係るＳｉｄｅｌｉｎｋの動作方法の実施例の各プロセスが実現され、且つ同じ技術効果を奏することもできるので、重複を避けるために、ここでは繰り返して記載しない。ここで、前記コンピュータ読み取り可能な記憶媒体は、たとえば、リードオンリーメモリＲＯＭ（Ｒｅａｄ−Ｏｎｌｙ  Ｍｅｍｏｒｙ）、ランダムアクセスメモリＲＡＭ（Ｒａｎｄｏｍ  Ａｃｃｅｓｓ  Ｍｅｍｏｒｙ）、磁気ディスク又は光ディスクなどである。
【０１０７】
なお、本明細書において、「含む」や「含有する」又はそれ以外のあらゆる変形用語は、非排他的に含むことを意味する。よって、一連の要素を含むプロセス、方法、モノ又は装置は、それらの要素を含むだけではなく、明確に列挙されていない他の要素を更に含み、又はこのようなプロセス、方法、モノ又は装置に固有の要素を更に含む。特に限定されない限り、「…を１つ含む」の表現によって限定される要素について、当該要素を含むプロセス、方法、モノ又は装置に他の同一要素の存在を除外しない。
【０１０８】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の端末機器（携帯電話、コンピュータ、サーバー、空調機又はネットワークデバイスなど）に実行させるいくつかの指令を含む。
【０１０９】
以上、本開示の実施例を図面に基づいて記載したが、本開示は、上記の具体的な実施形態に限定されるものではない。上記の具体的な実施形態は、例示的なものであり、限定的なものではない。本開示のヒントを受け、当業者が本開示の趣旨及び特許請求の範囲から逸脱することなくなしえる多くの形態は、すべて本開示の保護範囲に含まれる。
【図１】
2021519029.tif 000003
【図２】
2021519029.tif 000004
【図３】
2021519029.tif 000005
【図４】
2021519029.tif 000006
【図５】
2021519029.tif 000007
【図６】
2021519029.tif 000008
【図７】
2021519029.tif 000009
【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
端末に応用されるサイドリンクＳｉｄｅｌｉｎｋの動作方法において、
フィードバック配置情報及び測定配置情報のうちの少なくとも一方を含むＳｉｄｅｌｉｎｋ配置情報を取得することと、
前記Ｓｉｄｅｌｉｎｋ配置情報に基づいて、Ｓｉｄｅｌｉｎｋで測定動作及びフィードバック動作の少なくとも一方を行うことと
を含むことを特徴とする、Ｓｉｄｅｌｉｎｋの動作方法。
【請求項２】
前記測定配置情報は、測定基準信号配置、測定基準信号送信配置及び測定基準信号測定配置の少なくとも一方を含み、
ここで、前記測定基準信号配置は、測定基準信号のタイプ、位置、帯域幅、周期及びシーケンスのうちの少なくとも一方を指示し、
前記測定基準信号送信配置は、測定基準信号送信の有効化又は無効化を指示し、
前記測定基準信号測定配置は、測定基準信号の測定の開始又は停止、前記測定基準信号のフィードバック情報送信の開始又は停止を指示し、
又は、
前記Ｓｉｄｅｌｉｎｋ配置情報に基づいて、Ｓｉｄｅｌｉｎｋで測定及びフィードバックの少なくとも一方を行う前に、
測定メカニズム及びフィードバックメカニズムの少なくとも一方を有効化又は無効化することを更に含み、
前記Ｓｉｄｅｌｉｎｋ配置情報に基づいて、Ｓｉｄｅｌｉｎｋで測定動作及びフィードバック動作の少なくとも一方を行うことは、
前記測定メカニズムが有効化されている場合、前記測定配置情報に基づいて測定動作を行うことと、
前記フィードバックメカニズムが有効化されている場合、前記フィードバック配置情報に基づいてフィードバック動作を行うことと
を含み、
前記測定メカニズム及びフィードバックメカニズムの少なくとも一方を有効化又は無効化することは、
事前の配置、ネットワーク側から送信されるシグナリング又は相手側から送信されるシグナリングに基づいて、測定メカニズム及びフィードバックメカニズムの少なくとも一方を有効化又は無効化することを含む、請求項１に記載の方法。
【請求項３】
前記Ｓｉｄｅｌｉｎｋ配置情報を取得することは、
事前の配置、ネットワーク側から送信されるシグナリング又は相手側から送信されるシグナリングから、Ｓｉｄｅｌｉｎｋ配置情報を取得することを含む、請求項１に記載の方法。
【請求項４】
前記事前の配置、ネットワーク側から送信されるシグナリング又は相手側から送信されるシグナリングに基づいて、測定メカニズム及びフィードバックメカニズムの少なくとも一方を有効化又は無効化する前に、
前記端末の能力情報を無線リソース制御ＲＲＣシグナリングによってネットワーク側に報告することと、前記Ｓｉｄｅｌｉｎｋを介して前記端末の能力情報をブロードキャストすることとの少なくとも一方を更に含み、
ここで、前記能力情報は、測定のサポートの有無、フィードバックのサポートの有無、測定のサポートのタイプ、測定のサポートの内容、フィードバックのサポートのタイプ及びフィードバックのサポートの内容の少なくとも一方を含む、請求項２に記載の方法。
【請求項５】
前記Ｓｉｄｅｌｉｎｋでフィードバック動作を行うことは、
Ｓｉｄｅｌｉｎｋでサイドリンク制御情報ＳＣＩ、ＳＣＩでスケジューリングされたＰＳＳＣＨ及びＭＡＣ  ＣＥのうちの少なくとも一方によって、フィードバックビット及びフィードバック指示情報を伝送することを含み、
前記フィードバック指示情報は、フィードバックのタイプ又は内容、フィードバックの受信対象及び応答フィードバックのＰＳＳＣＨ伝送プロセス番号の少なくとも一方を含み、
ここで、前記フィードバックのタイプ又は内容は、ＰＳＳＣＨ受信の応答及びＣＳＩフィードバックのうちの少なくとも一方を含み、
前記フィードバックの受信対象は、フィードバックを行う端末である受信側のＩＤ、前記受信側のグループＩＤ、ネットワークから前記受信側に割り当てた固定ＩＤ、ネットワークから前記受信側に割り当てた仮ＩＤ又は前記受信側の切断ＩＤを含む、請求項１〜３のいずれか一項に記載の方法。
【請求項６】
前記Ｓｉｄｅｌｉｎｋで測定動作を行うことは、
測定基準信号を前記Ｓｉｄｅｌｉｎｋで相手側に送信することと、前記Ｓｉｄｅｌｉｎｋで相手端から送信された測定基準信号を測定することとの少なくとも一方を含み、
又は、
前記Ｓｉｄｅｌｉｎｋ配置情報を取得した後に、
相手側のフィードバックメカニズムの使用事例に応じて、対応する伝送方式でＰＳＳＣＨデータを送信することを更に含み、
ここで、前記使用事例がフィードバックメカニズムの有効化である場合、前記伝送方式において、前記相手側からのフィードバック受信に失敗すると、受信に失敗したＰＳＳＣＨデータを再送し、
前記使用事例がフィードバックメカニズムの無効化である場合、前記伝送方式において、前記ＰＳＳＣＨデータのブラインド再送を行い、ここで、前記ブラインド再送とは、同一のＰＳＳＣＨデータの伝送ブロックである複数の同じ伝送ブロックを伝送し、又は、前記ブラインド再送とは、同一のＰＳＳＣＨデータの伝送ブロックである複数の異なる冗長バージョンの伝送ブロックを伝送する、請求項１〜３のいずれか一項に記載の方法。
【請求項７】
前記フィードバック配置情報は、フィードバックの内容、フィードバックのタイプ、フィードバックの周期及びフィードバックビットのマッピング方式の少なくとも一方を含み、
前記フィードバックの内容は、物理サイドリンク共有チャネルＰＳＳＣＨの受信応答とチャネル状態情報ＣＳＩフィードバックのうちの少なくとも一方を含み、
前記フィードバックのタイプは、周期的フィードバック、非周期的フィードバック又は半永続的フィードバックを含み、
前記フィードバックビットのマッピング方式は、フィードバックビットに割り当てられる最大リソースユニットＲＥの数、フィードバックビットマッピングの符号化率オフセットＢｅｔａ−ｏｆｆｓｅｔ、同時フィードバックの最大ビット数、部分的フィードバックビット破棄配置、及びフィードバックビット結合配置の少なくとも一方を含む、請求項１に記載の方法。
【請求項８】
フィードバック配置情報及び測定配置情報のうちの少なくとも一方を含むＳｉｄｅｌｉｎｋ配置情報を取得する取得モジュールと、
前記Ｓｉｄｅｌｉｎｋ配置情報に基づいて、Ｓｉｄｅｌｉｎｋで測定動作及びフィードバック動作の少なくとも一方を行う実行モジュールと
を含むことを特徴とする、端末。
【請求項９】
前記フィードバック配置情報は、フィードバックの内容、フィードバックのタイプ、フィードバックの周期及びフィードバックビットのマッピング方式の少なくとも一方を含み、
前記フィードバックの内容は、ＰＳＳＣＨの受信応答とチャネル状態情報ＣＳＩフィードバックのうちの少なくとも一方を含み、
前記フィードバックのタイプは、周期的フィードバック、非周期的フィードバック又は半永続的フィードバックを含み、
前記フィードバックビットのマッピング方式は、フィードバックビットに割り当てられる最大リソースユニットＲＥの数、フィードバックビットマッピングの符号化率オフセットＢｅｔａ−ｏｆｆｓｅｔ、同時フィードバックの最大ビット数、部分的フィードバックビット破棄配置、及びフィードバックビット結合配置の少なくとも一方を含む、請求項８に記載の端末。
【請求項１０】
前記測定配置情報は、測定基準信号配置、測定基準信号送信配置及び測定基準信号測定配置の少なくとも一方を含み、
ここで、前記測定基準信号配置は、測定基準信号のタイプ、位置、帯域幅、周期及びシーケンスのうちの少なくとも一方を指示し、
前記測定基準信号送信配置は、測定基準信号送信の有効化又は無効化を指示し、
前記測定基準信号測定配置は、測定基準信号の測定の開始又は停止、前記測定基準信号のフィードバック情報送信の開始又は停止を指示し、
又は、
前記端末は、測定メカニズム及びフィードバックメカニズムの少なくとも一方を有効化又は無効化する有効化モジュールを更に含み、
前記実行モジュールは、
前記測定メカニズムが有効化されている場合、前記測定配置情報に基づいて測定動作を行う測定ユニットと、
前記フィードバックメカニズムが有効化されている場合、前記フィードバック配置情報に基づいてフィードバック動作を行うフィードバックユニットと
を含み、
前記有効化モジュールは、
事前の配置、ネットワーク側から送信されるシグナリング又は相手側から送信されるシグナリングに基づいて、測定メカニズム及びフィードバックメカニズムの少なくとも一方を有効化又は無効化する、請求項８に記載の端末。
【請求項１１】
前記取得モジュールは、
事前の配置、ネットワーク側から送信されるシグナリング又は相手側から送信されるシグナリングから、Ｓｉｄｅｌｉｎｋ配置情報を取得する、請求項８に記載の端末。
【請求項１２】
前記端末の能力情報を無線リソース制御ＲＲＣシグナリングによってネットワーク側に報告する第１報告モジュールと、前記Ｓｉｄｅｌｉｎｋを介して前記端末の能力情報をブロードキャストする第２報告モジュールとの少なくとも一方を更に含み、
ここで、前記能力情報は、測定のサポートの有無、フィードバックのサポートの有無、測定のサポートのタイプ、測定のサポートの内容、フィードバックのサポートのタイプ及びフィードバックのサポートの内容の少なくとも一方を含む、請求項１０に記載の端末。
【請求項１３】
前記Ｓｉｄｅｌｉｎｋでフィードバック動作を行うことは、
ＳｉｄｅｌｉｎｋでＳＣＩ、ＳＣＩでスケジューリングされたＰＳＳＣＨ及びＭＡＣ  ＣＥのうちの少なくとも一方によって、フィードバックビット及びフィードバック指示情報を伝送することを含み、
前記フィードバック指示情報は、フィードバックのタイプ又は内容、フィードバックの受信対象及び応答フィードバックのＰＳＳＣＨ伝送プロセス番号の少なくとも一方を含み、
ここで、前記フィードバックのタイプ又は内容は、ＰＳＳＣＨ受信の応答及びＣＳＩフィードバックのうちの少なくとも一方を含み、
前記フィードバックの受信対象は、フィードバックを行う端末である受信側のＩＤ、前記受信側のグループＩＤ、ネットワークから前記受信側に割り当てた固定ＩＤ、ネットワークから前記受信側に割り当てた仮ＩＤ又は前記受信側の切断ＩＤを含む、請求項８〜１１のいずれか一項に記載の端末。
【請求項１４】
前記Ｓｉｄｅｌｉｎｋで測定動作を行うことは、
測定基準信号を前記Ｓｉｄｅｌｉｎｋで相手側に送信することと、前記Ｓｉｄｅｌｉｎｋで相手端から送信された測定基準信号を測定することとの少なくとも一方を含み、
又は、
前記端末は、相手側のフィードバックメカニズムの使用事例に応じて、対応する伝送方式でＰＳＳＣＨデータを送信する送信モジュールを更に含み、
ここで、前記使用事例がフィードバックメカニズムの有効化である場合、前記伝送方式において、前記相手側からのフィードバック受信に失敗すると、受信に失敗したＰＳＳＣＨデータを再送し、
前記使用事例がフィードバックメカニズムの無効化である場合、前記伝送方式において、前記ＰＳＳＣＨデータのブラインド再送を行い、ここで、前記ブラインド再送とは、同一のＰＳＳＣＨデータの伝送ブロックである複数の同じ伝送ブロックを伝送し、又は、前記ブラインド再送とは、同一のＰＳＳＣＨデータの伝送ブロックである複数の異なる冗長バージョンの伝送ブロックを伝送する、請求項８〜１１のいずれか一項に記載の端末。
【請求項１５】
コンピュータプログラムが格納されているコンピュータ読み取り可能な記憶媒体であって、
前記コンピュータプログラムがプロセッサによって実行されると、以下の端末に応用されるサイドリンクＳｉｄｅｌｉｎｋの動作方法のステップが実現され、前記動作方法が、
フィードバック配置情報及び測定配置情報のうちの少なくとも一方を含むＳｉｄｅｌｉｎｋ配置情報を取得することと、
前記Ｓｉｄｅｌｉｎｋ配置情報に基づいて、Ｓｉｄｅｌｉｎｋで測定動作及びフィードバック動作の少なくとも一方を行うことと
を含む、
コンピュータ読み取り可能な記憶媒体。
【国際調査報告】
2021519029.tif 000010
2021519029.tif 000011
2021519029.tif 000012
2021519029.tif 000013